(57)【特許請求の範囲】
【請求項１】
斜面に網体を吊設し、前記網体が、上下に間隔をおいて複数段に設けた横ロープ材と、これら横ロープ材を覆う網とを備えた落石防護網構造において、下段側の横ロープ材の間隔を上端側の横ロープ材の間隔より狭くし、前記網体の上端に複数個の吊り支点を設けると共に、その上方に複数個の上部固定手段を設置し、これら上部固定手段と吊り支点との間に連続した複数のロープ材を上下交互に架け渡し、これら複数のロープ材の端部をそれぞれ該ロープ材の長さ方向に設けたアンカーにより前記斜面に固定し、前記ロープ材の途中に、所定以上の張力が作用したとき該ロープ材の摩擦摺動を許容する緩衝具を設けたことを特徴とする落石防護網構造。
【請求項２】
前記下段側の横ロープ材の端部を前記斜面に固定したことを特徴とする請求項１記載の落石防護網構造。
【請求項３】
前記下段側の横ロープ材の途中に、積雪の静荷重により所定以上の張力が作用したとき該下段側の横ロープ材の余長部の摩擦摺動を許容し、前記摩擦摺動した余長部に対応して前記下段側の横ロープ材を伸張する静荷重長さ調整具を設けたことを特徴とする請求項１又は２記載の落石防護網構造。
【請求項４】
前記上部固定手段は、上下に並んだ複数のアンカーであることを特徴とする請求項１〜３のいずれか１項に記載の落石防護網構造。
【請求項５】
前記網体が、前記横ロープ材に対して交差方向に設けた縦ロープ材を備え、前記縦ロープ材と一端側が連結される接続部材と、該接続部材の他端側が連結されると共に、前記斜面に固定される補助アンカーとを備えることを特徴とする請求項１〜４のいずれか１項に記載の落石防護構造。
【発明の詳細な説明】
【技術分野】
【０００１】
本発明は、斜面における落石による事故を防止するために設置する落石防護網構造に関する。
【背景技術】
【０００２】
従来、この種のものとして、縦横に組み合わせたロープ材と、縦横ロープ材を覆う金網とよりなる網体によって斜面を覆い、縦ロープ材の上端部及び横ロープ材の両端部を斜面に固定して取り付け、縦横ロープ材の交叉部の各横ロープ材と縦ロープ材とを一定の挟持力で保持する連結金具で連結して、挟持摩擦力以上の力が加わった際に、ロープ材の挟持箇所を移動することで緩衝作用が発生する落石防止工法（例えば特許文献１）が提案されている。
【０００３】
また、ポケット式落石防護網では、斜面を覆った金網の上部に支柱を設置して開口部を作り、斜面上部からの岩石を該開口部に落とし込むように設計され、積雪地域において、金網のポケット部に抱え込んだ積雪が、昼間道路面の積雪と融合し、これが夜間に氷結することによって過大な荷重となり、控えロープのアンカーが引き抜かれたり、ヒンジ式の支柱が傾動したり、金網が破れたりする問題があった。
【０００４】
そこで、網を上下に二段または三段以上に分割し、下段側網部分を上段側網部分の前面側に引き上げて吊り留めるようにした積雪用ポケット式落石防止網（例えば特許文献２）が提案されている。
【先行技術文献】
【特許文献】
【０００５】
【特許文献１】特開２００２−２２７１４０号公報
【特許文献２】特開平１０−１６８８３１号公報
【発明の概要】
【０００６】
上記積雪用ポケット式落石防止網では、下段側網部分を上段側網部分の前面側に引き上げることにより、積雪時に網体に過大な雪荷重が付加されることが無くなる。
【０００７】
しかし、その積雪用ポケット式落石防止網では、下段側網部分を上段側網部分の前面側に引き上げることができるように、上段側網部分に下段側網部分をシャックルなどの連結手段により回動可能に連結するため、連結手段が必要になり、構造が複雑になるという問題がある。また、巻上げ後、積雪が無くなると、再び網体を下す作業が必要になる。
【０００８】
そこで、本発明は、網体に積雪による過度な荷重が加わることを防止することができる落石防護網構造を提供することを目的とする。
【課題を解決するための手段】
【０００９】
請求項１に係る発明は、斜面に網体を吊設し、前記網体が、上下に間隔をおいて複数段に設けた横ロープ材と、これら横ロープ材を覆う網とを備えた落石防護網構造において、下段側の横ロープ材の間隔を上端側の横ロープ材の間隔より狭くし、前記網体の上端に複数個の吊り支点を設けると共に、その上方に複数個の上部固定手段を設置し、これら上部固定手段と吊り支点との間に連続した複数のロープ材を上下交互に架け渡し、これら複数のロープ材の端部をそれぞれ該ロープ材の長さ方向に設けたアンカーにより前記斜面に固定し、前記ロープ材の途中に、所定以上の張力が作用したとき該ロープ材の摩擦摺動を許容する緩衝具を設けたことを特徴とする。
【００１０】
また、請求項２に係る発明は、前記下段側の横ロープ材の端部を前記斜面に固定したことを特徴とする。
【００１１】
また、請求項３に係る発明は、前記下段側の横ロープ材の途中に、積雪の静荷重により所定以上の張力が作用したとき該下段側の横ロープ材の余長部の摩擦摺動を許容し、前記摩擦摺動した余長部に対応して前記下段側の横ロープ材を伸張する静荷重長さ調整具を設けたことを特徴とする。
【００１２】
また、請求項４に係る発明は、前記上部固定手段は、上下に並んだ複数のアンカーであることを特徴とする。
【００１３】
また、請求項５に係る発明は、前記網体が、前記横ロープ材に対して交差方向に設けた縦ロープ材を備え、前記縦ロープ材と一端側が連結される接続部材と、該接続部材の他端側が連結されると共に、前記斜面に固定される補助アンカーを備えることを特徴とする。
【発明の効果】
【００１４】
請求項１の構成によれば、積雪荷重が大きく加わる網体の下側において、間隔を狭くした横ロープ材により支持することができ、これにより落石のみでなく、冬期間の積雪荷重に対応可能となる。また、網体が落石の衝撃力を受けると、連続した複数のロープ材に張力が発生し、全てのアンカーがその張力を支持し、全てのアンカー及びロープ材の全体で落石の力に対抗する。そして、連続した複数のロープ材に所定以上の張力が作用すると、緩衝具において、連続した複数のロープ材が摩擦摺動して衝撃力を吸収する。従って、従来のように上部固定手段に連結した全てのロープ材に緩衝具を設ける必要が無くなる。また、連続した複数のロープ材それぞれにアンカーを連結したことで、１本のアンカーに掛かる力を分散することができ、掛かる負荷が軽減されるので、大きなアンカーを用いる必要がなく、アンカーの損傷をも防止することができる。さらに、施工に制約を受けるため大きなアンカーを施工することが難しい斜面に対し、ロープ材の長さ方向に設けた複数のアンカーを用いることで、施工が容易で、確実な固定強度が得られる。
【００１５】
また、請求項２の構成によれば、両端を斜面に固定した横ロープ材により積雪荷重を支持することができる。
【００１６】
また、請求項３の構成によれば、積雪荷重が所定以上になると、その静荷重により下段側の横ロープ材に張力が生じ、この張力が所定以上になると、横ロープ材が摩擦摺動し、その分だけ横ロープ材が伸び、これにより横ロープ材に加わる張力や横ロープ材の固定部に加わる力を低減することができる。
【００１７】
また、請求項４の構成によれば、施工に制約を受けるため大きなアンカーを施工することが難しい斜面に対し、上下に並んだ複数のアンカーを用いることで、施工が容易で、確実な固定強度を得られる。
【００１８】
また、請求項５の構成によれば、接続部材を介して網体と補助アンカーが連結され、該補助アンカーを斜面に設置することで、網体に掛かる伝達荷重を分散させることができ、これと共に外側へのはらみ出しを防止することができる。
【図面の簡単な説明】
【００１９】
【図１】本発明の実施例１を示す落石防護網構造の全体平面説明図である。
【図２】同上、落石防護網構造の側面図である。
【図３】同上、支柱の上部の側面図である。
【図４】同上、落石防護網構造の上部の平面図である。
【図５】同上、アンカーと連結部材の平面図である。
【図６】同上、上部固定構造の側面図である。
【図７】同上、上部固定構造の側面図である。
【図８】同上、上段側の横ロープ材の固定構造を示す側面図である。
【図９】同上、中断側の横ロープ材の固定構造を示す側面図である。
【図１０】同上、巻付グリップの側面図である。
【図１１】同上、下段側の横ロープ材の固定構造を示す正面図である。
【図１２】同上、連結具の正面図である。
【図１３】同上、滑車を示し、図１２（Ａ）は正面図、図１２（Ｂ）は側面図である。
【図１４】同上、緩衝具（静荷重長さ調整具）の正面図である。
【図１５】同上、緩衝具（静荷重長さ調整具）の平面図である。
【図１６】同上、緩衝具（静荷重長さ調整具）の把持具の側面図である。
【図１７】同上、緩衝具（静荷重長さ調整具）の側面図である。
【図１８】同上、２つの把持具を有する緩衝具（静荷重長さ調整具）の正面図である。
【図１９】同上、ループ部の正面図である。
【図２０】同上、ループ部の正面図である。
【図２１】同上、ループ部に設ける緩衝具の側面図である。
【図２２】本発明の実施例２を示す落石防護構造の全体平面説明図である。
【図２３】同上、落石防護構造の側面図である。
【図２４】同上、補助アンカーの固定構造を示す側面図である。
【図２５】同上、アンカーと連結部材の平面図である。
【図２６】同上、上部固定構造の側面図である。
【図２７】同上、上部固定構造の側面図である。
【発明を実施するための形態】
【００２０】
本発明における好適な実施の形態について、添付図面を参照しながら詳細に説明する。なお、以下に説明する実施の形態は、特許請求の範囲に記載された本発明の内容を限定するものではない。また、以下に説明される構成の全てが、本発明の必須要件であるとは限らない。各実施例では、従来とは異なる落石防護網構造を採用することにより、従来にない落石防護網構造が得られ、その落石防護網構造を夫々記述する。
【実施例１】
【００２１】
以下、本発明の落石防護網構造の実施例について図１〜図２１を参照して説明する。落石防護網構造１は、斜面Ｓに複数立設した支柱２と、斜面Ｓを覆うように設けられた網体３とを備える。前記支柱２は左右方向に間隔をおいて立設され、前記網体３は網目状に配置した横ロープ材５，５Ａと、前記横ロープ材５，５Ａと交差方向に張設される縦ロープ材４と、これら縦ロープ材４，横ロープ材５，５Ａの間を塞ぐように設けられた網たる金網６とからなり、前記縦ロープ材４は、前記支柱２に対応して配置されている。尚、符号５Ａは、下段側の横ロープ材である。
【００２２】
図２に示すように、前記斜面Ｓに岩盤用のアンカー11を固定し、このアンカー11により支柱ベース12を斜面Ｓに固定し、この支柱ベース12に枢軸13により支柱２の下部を回動可能に連結し、その支柱２は前後方向（山谷方向）に傾動可能に構成されている。
【００２３】
前記複数の支柱２の上部に、前記網体３の上部を連結し、具体的には、前記縦ロープ材４の上端を、シャックルなどの回動連結具14により、上下方向回動可能に支柱２の上部に連結し、また、網体３の最上段の横ロープ材５を連結箇所15において支柱２の上部に連結している。尚、図１２に示すように、回動連結具14は、Ｕ字金具14Ａと、このＵ字金具14Ａの開口に着脱自在に設ける連結軸14Ｂとを備える。
【００２４】
支柱２の上方である山側の斜面Ｓには、支柱２，２間の位置にアンカー21，21を上下に設置すると共に、両端の支柱２，２の左右外側で、支柱２，２間の距離の約２分の１の位置に両端アンカー21Ａ，21Ａをロープ材７の長さ方向に設置する。
【００２５】
図５及び図６に示すように、前記アンカー21，21同士は、長さ調整可能な連結部材61により連結され、この連結部材61は、ターンバックル62の両端に前記回動連結具14，14を回動可能に連結し、それら両端の前記回動連結具14，14を前記アンカー21，21に連結してなる。この場合、アンカー21の上部を回動連結部14とアンカープレート65に挿入し、そのアンカー21の上部にナット66を螺合することにより連結している。また、前記アンカー21Ａ，21Ａ同士も、前記連結部材61により連結されている。
【００２６】
そして、ロープ材７の長さ方向に並んだ前記アンカー21Ａ，21Ａ及び連結部材61により端部固定手段71を構成し、上下方向に並んだ前記アンカー21，21及び連結部材61により上部固定手段72を構成している。
【００２７】
図１に示したよう、前記アンカー21Ａ，21，21，21，21，21Ａ及び支柱２，２，２，２，２間には、連続したロープ材７，７を上下交互にジグザクに架け渡しており、２本のロープ材７，７は上下に重なる位置に配置されている。
【００２８】
図４及び図５に示すように、前記２本のロープ材７，７に対応して、上部固定手段72の下側の前記アンカー21に、それぞれ連結体22，22により滑車23，23を設け、前記連結体22は前記アンカー21に連結するシャックルなどの前記連結具14と、この連結具14に横方向の枢軸たる連結軸14Ａにより連結された滑車枠26とを備え、この滑車枠26の回転中心軸24を中心に前記滑車23が回転し、また、枢軸たる連結軸14Ｂを中心に滑車23が上下方向遥動可能に設けられている。
【００２９】
一方、図４に示すように、支柱２の上端には、前記２本のロープ材７，７に対応して、それぞれ連結体22Ａ，22Ａにより滑車23Ａ，23Ａを設け、この連結体22Ａは前記アンカー21に連結軸14Ｂにより回転可能に連結するシャックルなどの前記連結具14と、この連結具14に上下方向遥動可能により連結された滑車枠26とを備え、この滑車枠26の回転中心軸24を中心に前記滑車23Ａが回転し、連結具14に対して滑車枠26が遥動することにより滑車23Ａが上下方向遥動可能に設けられている。尚、前記滑車23Ａが前記網体３の上端に設けた吊り支点である。
【００３０】
そして、前記上下のロープ材７，７をそれぞれ対応する滑車23，23Ａに架装して上下交互にジグザクに架け渡し、そのロープ材７の両端を、前記両端のアンカー21Ａ，21Ａに連結する。尚、ロープ材７の端部と端部固定手段71の下側のアンカー21Ａとは、図７に示すように、回動連結具14とターンバックル62とにより連結され、端部固定手段71のアンカー21Ａに回動連結具14を連結し、この回動連結具14に前記ターンバックル62の一端を固定し、この巻付グリップ64は、図１０に示すように、複数素線よりなるワイヤーの中間部分にループ部64Ａを形成し、このループ部分64Ａに連なる両方の脚部64Ｂ，64Ｂに所定のピッチで撚りを与えたものであり、使用にあたっては、ループ部64Ａを回動連結具14に挿通し、脚部64Ｂ，64Ｂをロープ材７の端部の撚りに沿って順次巻き付けることにより連結される。
【００３１】
前記ロープ材７の途中には、緩衝具８を設け、この例では、両端のアンカー21Ａと両端の滑車23との間において、緩衝具８を設けており、緩衝具８の位置において、ロープ材７を分割して分割端部７Ａ，７Ｂを形成し、そのロープ材７の分割端部７Ａ，７Ｂを緩衝具８により連結している。
【００３２】
前記緩衝具８は、前記ロープ材７を所定の摩擦力で把持する一対の把持体34，34を備え、これら把持体34，34の合せ面に、ロープ材７の分割端部７Ｂが嵌合する嵌合溝35，35を形成し、両把持体34，34をボルトナットなどの締付手段36により締め付け固定する。相互に固定された把持体34，34の側面には、Ｕボルト37が係合する係合溝38，38が形成され、この係合溝38，38にＵボルト37の両端部37Ｔ，37Ｔが係合する。また、Ｕボルト37の両端部37Ｔ，37Ｔを挿通するプレート39を備え、このプレート39にはロープ材７の余長部たる端部側７Ｂを遊挿する溝部40が形成されている。そして、Ｕボルト37を前記ロープ材７の分割端部７Ａの輪部７Ｗに連結し、Ｕボルト37の両端部37Ｔ，37Ｔ間に、ロープ材７の端部側７Ｂを締め付けた把持体34，34を嵌め入れ、さらに、端部37Ｔ，37Ｔをプレート39に挿通し、端部37Ｔ，37Ｔにナット41を螺合する。そして、前記一対の把持体34，34により、ロープ材７を所定の摩擦力で把持する把持具42を構成し、また、図１８に示すように、緩衝具８は、前記２つの把持具42，42を並べて設けたタイプのものでもよい。このようにＵボルト37に複数の把持具42を並べて設けることができ、さらに、Ｕボルト37を長くすれば３個以上の把持具42を並べて設けることもできる。
【００３３】
そして、ロープ材７の分割端部７Ｂには、前記把持具42に係止するストッパ43を固着する。従って、網体３又は支柱２に落石などの衝撃力が加わり、ロープ材７に張力が発生すると、緩衝具８に対してロープ材７の分割端部７Ｂが摺動し、この摺動はストッパ43が把持具42に係止するまで摺動可能であって、摺動によりエネルギーの一部を吸収できる。
【００３４】
特に、連続したロープ材７により、支柱２の上端を支持し、その連続したロープ材７の途中に緩衝具８を設けたから、網体３又は支柱２に落石が衝突すると、その衝突部分のみではなく、連続するロープ材７全体に張力が発生し、全てのアンカー21，21Ａがその張力を支持し、アンカー21，21Ａ及びロープ材７全体で落石の力に対抗し、かつ何処に衝突しても、ロープ材７に所定以上の張力が発生すると、両側の緩衝具８，８においてロープ材７が摩擦摺動し、衝撃力を効果的に吸収することができ、従来のように全てのロープ材に緩衝具を設ける必要がない。
【００３５】
また、２本の連続するロープ材７，７を上下に重ね合わせるようにして用いたから、落石のみならず積雪荷重に対する強度を確保することができる。この場合、２本のロープ材７，７において、共通する連結体22，22，22Ａ，22Ａをそれぞれ用いて部品を共通化したことにより、１本の太いロープ材を使用する場合に比べて、ロープ材７，７及び関連部品を安価に構成することができる。
【００３６】
前記網体３には、横ロープ材５，５Ａが上端と下端とその間に複数段に設けられており、その横ロープ材５，５Ａの左右両側の斜面Ｓには、前記アンカー21Ａが設置されている。
【００３７】
ここで、横ロープ材５，５Ａに係る特徴構成を説明する。図１に示すように、前記横ロープ材５は、下段側の横ロープ材５Ａ，５Ａの間隔Ｋを上段側の横ロープ材５，５の間隔Ｋ´より狭く設定している。このように下段側の横ロープ材５Ａ，５Ａの間隔Ｋを狭くすることにより、積雪荷重を横ロープ材５，５で受け持ち、上部構造への影響を軽減できる。また、本実施例のように３段（３本）以上の下段側の横ロープ材５Ａ，５Ａ，５Ａを設けることが好ましい。
【００３８】
また、最上段とその下の段においては、各段に２本の横ロープ材５，５を配置し、図８に示すように、各横ロープ材５の端部を、巻付グリップ64を用いて前記ターンバックル62の他端に連結し、このターンバックル62の一端を前記回動連結具14により前記アンカー21Ａに連結し、さらに、両端のアンカー21Ａ，21Ａと網体３の両端との間において、前記横ロープ材５に後述する緩衝具を設けている。
【００３９】
また、図９に示すように、中段側の横ロープ材５は、その両端部を巻付グリップ64により前記回動連結具14に連結し、この回動連結具14を前記アンカー21Ａに連結している。
【００４０】
さらに、下段側のロープ材５Ａ，５Ａ，５Ａは、両端のアンカー21Ａ，21Ａと静荷重長さ調整具８Ａにより連結されている。尚、この静荷重長さ調整具８Ａは前記緩衝具８と同一構成のものが用いられる。そして、図１１に示すように、前記静荷重長さ調整具８ＡのＵボルト37を前記アンカー21Ａに上下方向回動可能に連結し、前記把持具42により前記横ロープ材５の端部の余長部を把持し、その端部には前記ストッパ43が設けられている。
【００４１】
ここで、前記静荷重長さ調整具８Ａは、前記網体３に積雪荷重（静荷重）が加わり、これにより横ロープ材５に加わる張力により横ロープ材５が緩衝具８Ａに対して摺動するように調整したものであり、前記緩衝具８Ａは中段の横ロープ材５の緩衝具８に比べて、把持体34，34により横ロープ材５を把持する摩擦力を小さく設定している。
【００４２】
また、図２に示すように、前記網体３の下端は、斜面Ｓの下端から略１〜１．５ｍの高さＨの位置とし、これにより網体３が除雪の邪魔にならず、除雪による影響を避けることができる。さらに、網体３の下部は、斜面Ｓに沿うように配置し、網体３と斜面Ｓとの隙間が小さくなるようにしている。
【００４３】
さらに、両端の支柱２，２には、控えロープ材９が連結され、この控えロープ材９は一端を前記支柱２の上部に連結し、他端を両端のアンカー21Ａと最上段の横ロープ材５のアンカー21Ａとの間の位置に配置したアンカー21Ｂに連結し、具体的には、控えロープ材９の端部を巻付グリップ64により前記連結部材61に連結し、この連結部材61を前記アンカー21Ｂに連結している。
【００４４】
また、図１及び図１９に示すように、上段側の前記横ロープ材５及び控えロープ材９の途中には、ループ部51が形成され、ループ部51の重合部51Ａの横ロープ材５，５を所定の挟持力で挟持する緩衝具52が一又は複数設けられている。この緩衝具52は、一対の把持体53，53の合せ目に、重合部51Ａの横ロープ材５，５を嵌合する溝54，54を備え、それら把持体53，53を挿通したボルト55とこのボルト55に螺合したナット56により締め付けることにより重合部51Ａの横ロープ材５，５を所定の摩擦力で把持するように構成している。
【００４５】
さらに、ループ部51の横ロープ材５には、金属などの硬質材料からなる複数のリング体57が遊嵌され、ループ部51の中央にストッパ58を固着している。そして、ストッパ58の両側にはほぼ同数で複数の前記リング体57が配置されている。
【００４６】
そして、網体３に衝撃力が作用し、横ロープ材５に所定以上の張力が発生すると、ループ部51が縮小する方向に重合部51Ａの横ロープ材５が摺動し、その摩擦力により衝撃力が吸収される。また、その摺動は、リング体57がストッパー58，58が把持体53に当接するまで可能であり、当接した後は、ループ部51がそれ以上縮小することがなく、全体として横ロープ材５の引張強度が低下することがない。すなわち、横ロープ材５は、ワイヤーロープなどからなるが、リング体57による規制により、所定の曲率までループ部51が縮小しても、折れ曲がるなどの心配がなく、摺動後も引張強度が低下することが防止される。
【００４７】
また、横ロープ材５，５，５Ａ，５Ａ間には補助横ロープ材44が設けられ、縦ロープ材４，４の間には補助縦ロープ材45が設けられ、周囲の縦，横ロープ材４，５，５Ａを含む前記縦ロープ材４，45と横ロープ材５，44の交差箇所において、縦，横ロープ材４，45，５，５Ａ，44は交差連結具46により連結されている。
【００４８】
次に構成につき、その作用を説明する。冬季間の積雪時において、斜面Ｓと網体３との間に雪が溜まり、網体３の下部に大きな積雪荷重が加わる。これに対して、下段側の横ロープ材５Ａの間隔Ｋを狭くしたから、その積雪荷重を下段側の横ロープ材５Ａ，５Ａにより支持することができる。また、積雪荷重が所定以上になると、その静荷重により下段側の横ロープ材５Ａに引張力が生じ、この引張力が横ロープ材５Ａを把持する把持体34，34による静摩擦力を超えると、把持具42に対して横ロープ材５Ａが摩擦摺動し、その分だけ横ロープ材５Ａが伸び、アンカー21Ｂなどが抜ける前に横ロープ材５Ａに加わる引張力を低減することができる。
【００４９】
また、斜面Ｓは施工に制約を受けるため、大きなアンカーを施工することが難しいが、２つのアンカー21，21又はアンカー21Ａ，21Ａを並べ、両アンカー21，21，21Ａ，21Ａを連結部材61により連結することにより、信頼性の高い取付強度を得ることができる。さらに、連結部材61は、長さ調整可能なターンバックル62の両側に回動連結具14，14を備えるから、両アンカー21，21間の不陸に対応して両アンカー21，21を確実に連結することができる。
【００５０】
このように本実施例では、斜面Ｓに網体３を吊設し、網体３が、上下に間隔をおいて複数段に設けた横ロープ材５，５・・・５Ａ，５Ａと、これら横ロープ材５，５・・・５Ａ，５Ａを覆う網たる金網６とを備えた落石防護網構造１において、下段側の横ロープ材５Ａ，５Ａの間隔Ｋを上端側の横ロープ材５，５の間隔Ｋ´より狭くしたから、積雪荷重が大きく加わる網体３の下側において、間隔Ｋを狭くした横ロープ材５Ａ，５Ａにより支持することができ、これにより落石のみでなく、冬期間の積雪荷重に対応が可能となる。
【００５１】
また、このように本実施例では、下段側の横ロープ材５Ａの端部を斜面Ｓに固定したから、両端を斜面Ｓに固定した横ロープ材５Ａにより積雪荷重を支持することができる。
【００５２】
また、このように本実施例では、下段側の横ロープ材５Ａの途中に、積雪の静荷重により所定以上の張力が作用したとき下側の横ロープ材５Ａの余長部の摩擦摺動を許容し、前記摩擦摺動した余長部に対応して下側の横ロープ材５Ａを伸張する静荷重長さ調整具８Ａを設けたから、積雪荷重が所定以上になると、その静荷重により下段側の横ロープ材５Ａ，５Ａに張力が生じ、この張力が所定以上になると、横ロープ材５Ａ，５Ａが摩擦摺動し、その分だけ横ロープ材５Ａ，５Ａが伸びて撓み、これにより横ロープ材５Ａ，５Ａに加わる張力や横ロープ材５Ａ，５Ａの固定部であるアンカー21Ａに加わる力を低減することができる。
【００５３】
また、網体３の上端に複数個の吊り支点たる支柱２を設けると共に、その上方の山側に複数個の上部固定手段72を設置し、これら上部固定手段72と前記支柱２との間に連続したロープ材７を上下交互に架け渡し、このロープ材７の端部を端部固定手段71により斜面Ｓに固定し、ロープ材７の途中に、所定以上の張力が作用したとき該ロープ材７の摩擦摺動を許容する緩衝具８を設け、端部固定手段71は、ロープ材７の長さ方向に並んだ複数のアンカー21，21を備えるから、網体３に落石の衝撃力を受けると、連続したロープ材７に張力が発生し、全てのアンカー21，21Ａがその張力を支持し、全てのアンカー21，21Ａ及びロープ材７の全体で落石の力に対抗する。そして、連続するロープ材７に所定以上の張力が作用すると、緩衝具８において、ロープ材７が摩擦摺動して衝撃力を吸収する。従って、従来のように上部固定手段72に連結した全てのロープ材７に緩衝具８を設ける必要が無くなる。また、斜面Ｓは施工に制約を受けるため、大きなアンカーを施工することが難しいが、ロープ材７の長さ方向に並んだ複数のアンカー21Ａ，21Ａを用いることにより、施工が容易で、確実な固定強度が得られる。
【００５４】
また、前記上部固定手段72は、上下に並んだ複数のアンカーを備えるから、斜面Ｓは施工に制約を受けるため、大きなアンカーを施工することが難しいが、上下並んだ複数のアンカー21，21を用いることにより、施工が容易で、確実な固定強度が得られる。
【００５５】
以下、実施例上の効果として、地盤に立設した複数本の支柱２に網体３の上端を固定すると共に、その山側である上方に複数個の上部固定手段72及び端部固定手段71を設置し、これら上部固定手段72及び端部固定手段71と支柱２にそれぞれ滑車23，23Ａを取り付け、連続したロープ材７を滑車23，23Ａを介して上下交互に架け渡したから、網体３又は支柱２が落石の衝撃力を受けると、連続したロープ材７に張力が発生し、全てのアンカー21，21Ａがその張力を支持し、全ての上部固定手段72，端部固定手段71及びロープ材７の全体で落石の力に対抗する。そして、連続するロープ材７に所定以上の張力が作用すると、緩衝具８において、ロープ材７が摩擦摺動して衝撃力を吸収する。従って、従来のようにアンカーに連結した全てのロープ材に緩衝具を設ける必要が無くなる。
【００５６】
また、防護網たる網体３の横ロープ材５の端部を固定し、横ロープ材５の端部側に緩衝具８を設けたから、網体３が落石の衝撃力を受け、横ロープ材５に所定以上の張力が作用すると、緩衝具８において、ロープ材５が摩擦摺動して衝撃力を吸収する。
【００５７】
また、横ロープ材５の途中にループ部51を形成し、このループ部51の横ロープ材５の重合部51Ａを所定の摩擦力で挟持するループ部緩衝具52を備えるから、網体３が落石の衝撃力を受け、横ロープ材５に所定以上の張力が作用すると、ループ部51が縮小することにより、重合部51Ａにおいて、横ロープ材５が摩擦摺動して衝撃力を吸収する。
【００５８】
また、両端の支柱２，２と、これら両端の支柱２，２の左右外側で上方にアンカー21Ｂ，21Ｂを設け、このアンカー21Ｂと支柱２とを控えロープ材９により連結し、この控えロープ材９の途中に緩衝具52を設けたから、網体３又は支柱２に落石の衝撃力を受け、控えロープ材９に所定以上の張力が作用すると、緩衝具52において、控えロープ材９が摩擦摺動して衝撃力を吸収する。また、控えロープ材９は左右外側向きに配置されているため、支柱２の左右方向の倒れを規制できる。
【００５９】
また、ループ部51は、ストッパ58の両側に複数のリング体57を設けているから、リング体57が把持体53に当接した後は、ループ部51がそれ以上縮小することがなく、全体として横ロープ材５の引張強度が低下することがない。また、支柱２が傾動可能で、滑車23，23Ａも上下方向揺動可能に設けられているから、支柱２が傾動しても、連続するロープ材７を有効に作用させることができる。
【実施例２】
【００６０】
図２２〜図２７は、本発明の実施例２を示し、上記実施例１と同一部分に同一符号を付し、その詳細な説明を省略して詳述する。
【００６１】
実施例１では、２本の連続するロープ材７，７を上下に重ね合せるようにして１本のアンカー21に連結することで、斜面Ｓに固定していたが、本実施例では、２本の連続するロープ材７，７をそれぞれ別々のアンカー21Ｃ，21Ｃに連結することで、斜面Ｓに固定することを特徴としている。
【００６２】
図２２及び図２３に示すように、２本の連続するロープ材７，７をそれぞれ連結するアンカー21Ｃ，21Ｃは、斜面Ｓに上下位置となるように設置される。また、アンカー21Ｃ，21Ｃに連結される２本の連続するロープ材７，７の長さはそれぞれ異なり、上下に重ね合さることなく設置される。こうしたことで、１本のアンカー21Ｃに掛かる力を分散することができるので、アンカー21Ｃに掛かる負担が軽減されて、アンカー21Ｃの損傷を防止することができる。
【００６３】
この他に、本実施例では、斜面Ｓに補助アンカー81が設置される。この補助アンカー81は、雪等が網体３と斜面Ｓとの間に堆積して、網体３に静荷重が掛かった場合に生じる網体３の外側へのはらみ出しを防止するために設置される。
【００６４】
具体的には、網体３が有する縦ロープ材４，４はワイヤロープ等からなる接続部材82の一端側とシャックル等の連結具14により連結され、接続部材82の他端側は補助アンカー81と連結具14により連結される。すなわち、接続部材82を介することで網体３が有する縦ロープ材４，４を斜面Ｓに設置される補助アンカー81に連結している。そして、補助アンカー81は、縦ロープ材４，４と接続部材82の一端側とを連結する連結具14よりも上方に位置する斜面Ｓに設置される。こうした構成により、網体３に掛かる伝達荷重を分散させることができ、これと共に外側へのはらみ出しを防止することができる。
【００６５】
また、本実施例では、図２４に示すように、縦ロープ４，４と接続部材82の一端側を連結する連結具14を複数設けることで、縦ロープ４，４と接続部材82を安定して連結できる構成としている。
【００６６】
このように本実施例では、前記網体３の上端に複数個の吊り支点たる支柱２を設けると共に、その上方に複数個の上部固定手段72を設置し、これら上部固定手段72と支柱２との間に連続した複数のロープ材７，７を上下交互に架け渡し、これら複数のロープ材７，７の端部をそれぞれ該ロープ材７，７の長さ方向に設けたアンカー21Ｃ，21Ｃにより前記斜面Ｓに固定し、前記ロープ材７の途中に、所定以上の張力が作用したとき該ロープ材７の摩擦摺動を許容する緩衝具８を設けたから、網体３が落石の衝撃力を受けると、連続した複数のロープ材７，７に張力が発生し、全てのアンカー21Ｃ，21Ｃがその張力を支持し、全てのアンカー21Ｃ，21Ｃ及びロープ材７の全体で落石の力に対抗する。そして、連続するロープ材７に所定以上の張力が作用すると、緩衝具８において、ロープ材７が摩擦摺動して衝撃力を吸収する。従って、従来のように上部固定手段72に連結した全てのロープ材７，７に緩衝具８を設ける必要が無くなる。また、連続した複数のロープ材７，７それぞれにアンカー21Ｃ，21Ｃを連結したことで、１本のアンカー21Ｃに掛かる力を分散することができ、掛かる負荷が軽減されるので、大きなアンカーを用いる必要がなく、アンカーの損傷をも防止することができる。さらに、施工に制約を受けるため大きなアンカーを施工することが難しい斜面Ｓに対し、ロープ材７の長さ方向に設けた複数のアンカー21Ｃ，21Ｃを用いることで、施工が容易で、確実な固定強度が得られる。
【００６７】
このように本実施例では、前記上部固定手段72は、上下に並んだ複数のアンカー21Ｃ，21Ｃであるから、施工に制約を受けるため大きなアンカーを施工することが難しい斜面Ｓに対し、上下に並んだ複数のアンカー21Ｃ，21Ｃを用いることで、施工が容易で、確実な固定強度を得られる。
【００６８】
このように本実施例では、前記網体３が、前記横ロープ材５，５に対して交差方向に設けた縦ロープ材４，４を備え、前記縦ロープ材４，４と一端側が連結される接続部材82と、該接続部材82の他端側が連結されると共に、斜面Ｓに固定される補助アンカー81とを備えたから、網体３に掛かる伝達荷重を分散させることができ、これと共に外側へのはらみ出しを防止することができる。
【００６９】
以上、本発明の各実施例について詳述したが、本発明は、前記実施例に限定されるものではなく、本発明の要旨の範囲内で種々の変形実施が可能である。例えば、静荷重長さ調整具は実施例に限定されず、各種タイプのものを用いることができる。また、支柱以外に吊り支点を設けてもよい。また、実施例では、連続するロープ材に２個の緩衝具を設けたが、その数は１個でもよく、少なくとも支柱の数より少なければよい。尚、縦ロープ材４，４間の縦ロープ材に接続部材82の一端側を連結具14で連結して、接続部材82の他端側を補助アンカー81に連結具14で連結するものとしてもよい。
【符号の説明】
【００７０】
１  落石防護構造
２  支柱
３  網体（落石防護網）
４  縦ロープ材
５  横ロープ材
５Ａ  下段側の横ロープ材
６  金網（網）
７  連続したロープ材
８  緩衝具
８Ａ  静荷重長さ調整具
９  控えロープ材
14  回動連結具
21  アンカー
21Ａ  アンカー
22  連結体
23  滑車（支柱側）
23Ａ  滑車（吊り支点）
51  ループ部
51Ａ  重合部
52  ループ部緩衝具
61  連結部材
62  ターンバックル
71  端部固定手段
72  上部固定手段
81  補助アンカー
82  接続部材
Ｋ  間隔（下段側）
Ｋ´  間隔
【図１】
0005357844.tif 000002
【図２】
0005357844.tif 000003
【図３】
0005357844.tif 000004
【図４】
0005357844.tif 000005
【図５】
0005357844.tif 000006
【図６】
0005357844.tif 000007
【図７】
0005357844.tif 000008
【図８】
0005357844.tif 000009
【図９】
0005357844.tif 000010
【図１０】
0005357844.tif 000011
【図１１】
0005357844.tif 000012
【図１２】
0005357844.tif 000013
【図１３】
0005357844.tif 000014
【図１４】
0005357844.tif 000015
【図１５】
0005357844.tif 000016
【図１６】
0005357844.tif 000017
【図１７】
0005357844.tif 000018
【図１８】
0005357844.tif 000019
【図１９】
0005357844.tif 000020
【図２０】
0005357844.tif 000021
【図２１】
0005357844.tif 000022
【図２２】
0005357844.tif 000023
【図２３】
0005357844.tif 000024
【図２４】
0005357844.tif 000025
【図２５】
0005357844.tif 000026
【図２６】
0005357844.tif 000027
【図２７】
0005357844.tif 000028